(57)【要約】
2017200556.tif 000002
【特許請求の範囲】
【請求項１】
大径の基盤中央に、支承管を立設し、該支承管には上下に摺動するスライド管を挿入し、スライド管の上部外周には円形のつかみを複数段アームで支承し、支承管の上部には水平方向にボルト通し孔を開け、またスライド管にはボルト通し孔を複数段開け、つかみの高さを決定する時、支承管とスライド管のボルト通し孔にボルトを通して、スライド管を支承管に固定するようにしたことを特徴とする円形つかみ付き介護用立上り器。
【発明の詳細な説明】
【技術分野】
【０００１】  本発明は、円形つかみ付き介護用立上り器に関する。
【背景技術】
【０００２】  従来、立上り器は、平面的に見て、一直線か角形であるため、立ち上って歩行する時に方向転換し難かった。
【発明の概要】
【発明が解決しようとする課題】
【０００３】  立ち上る時や座る時に、つかみを持って、思いの位置に立ったり、座ったりできるようにしたものである。
【課題を解決するための手段】
【０００４】  そして、本発明は、大径の基盤中央に、支承管を立設し、該支承管には上下に摺動するスライド管を挿入し、スライド管の上部外周には円形のつかみを複数段アームで支承し、支承管の上部には水平方向にボルト通し孔を開け、また、スライド管にはボルト通し孔を複数段開け、つかみの高さを決定する時、支承管とスライド管のボルト通し孔にボルトを通して、スライド管を支承管に固定するようにしたものである。
【発明の効果】
【０００５】  本発明は、つかみを円形に形成したので、該円周のどの位置からでも、つかみを持って、容易に立ったり、座ったりすることができる。
また、つかみを伝って、定位置や任意の位置に座ることができる。
立ち上る時は、つかみを持って、容易に立ち上ることができ、つかみを持って伝い歩きして任意の方向に向けるので、そのまま思いの方向に安全に歩行することができる。
【図面の簡単な説明】
【０００６】
【図１】  本発明の正面図
【図２】  図１の平面図
【図３】  図１の線Ａ−Ａの横断平面図
【発明を実施するための形態】
【０００７】  図において、１は大径の基盤で、該基盤１の中央に支承管２を立設している。３はスライド管で支承管２に上下摺動自在に挿入し、該スライド管３の上部外周に、円形のつかみ４を複数段アーム５で支承している。８はスライド管３に被せた蓋を示す。
６はボルト通し孔で、支承管２上部とスライド管３には、複数段開けている。而して、つかみ４を適正高さにする時に、支承管２とスライド管３のボルト通し孔６にボルト７を通し、スライド管３を支承管２に固定するようにしている。
なお、つかみ４に蛍光塗料を塗付すれば、暗がりでも、つかみ４の位置が確認でき安全上便利である。
【符号の説明】
【０００８】１  基盤            ４  つかみ          ７  ボルト
２  支承管          ５  アーム          ８  蓋
３  スライド管      ６  ボルト通し孔
【図１】
2017200556.tif 000003
【図２】
2017200556.tif 000004
【図３】
2017200556.tif 000005
【手続補正書】
【提出日】平成28年10月28日(2016.10.28)
【手続補正１】
【補正対象書類名】明細書
【補正対象項目名】全文
【補正方法】変更
【補正の内容】
【発明の詳細な説明】
【技術分野】
【０００１】  本発明は、円形つかみ付き介護用立ち上り器に関する。
【背景技術】
【０００２】特許文献１は、立ち座りの時、膝にかかる負担を軽減するための器具で、肘載置部に肘を載せ、体重を預けた状態で、レバーを操作して下降させ、椅子や洋式便所などに座り、立ち上る時も、レバーを操作し、立ち座りを、使用者自身ができるようにした構造である。
特許文献２は、介助者を必要とする身障者用で、身障者が短時間の間プレート上に立ち、立ったままプレートを回転して椅子や洋式便座に座り、その後は、上側側部や屈曲部、手すりを持って立ち、介助者がプレートを前向きに回転するようにした構造である。
【先行技術文献】
【０００３】特許文献１  実用新案登録第３１８３６６８号
特許文献２  特許出願公告番号  特表２０００−５０９６３８号
【発明の概要】
【発明が解決しようとする課題】
【０００４】本発明は任意箇所において、身障者以外の者でも、安全に立ち座りができるようにすることを目的とする。
【課題を解決するための手段】
【０００５】  大径の基盤（１）中央に、支承管（２）を立設し、該支承管（２）にはスライド管（３）を上下調整自在に挿入し、また、Ｌ字状のアーム（５）を４本形成し、該アーム（５）をスライド管（３）の上部に、アーム（５）を上向きにして十字方向に取り付け、該アーム（５）には円形のつかみ（４）をアーム（５）上部と中間部に取り付け、また、支承管（２）の上部には水平方向にボルト通し孔（６）を開け、スライド管（３）にはボルト通し孔（６）を複数段開け、つかみ（４）を適宜な高さにする時、スライド管（３）を上下に調整し、而して、支承管（２）とスライド管（３）のボルト通し孔（６）にボルト（７）を通し、スライド管（３）を支承管（２）に固定するようにしたものである。
【発明の効果】
【０００６】  本発明は、つかみを円形に形成したので、該円周のどの位置からでも、つかみを持って容易に立ったり、座ったりすることができる。
また、つかみを伝って、定位置や任意の位置に座ることができる。
立ち上る時は、つかみを持って、容易に立ち上ることができ、つかみを持って伝い歩きして任意の方向に向けるので、そのまま思いの方向に安全に歩行することができる。
【図面の簡単な説明】
【０００７】
【図１】本発明の正面図
【図２】図１の平面図
【図３】図１の線Ａ−Ａの横断平面図
【発明を実施するための形態】
【０００８】  図において、（１）は大径の基盤で、該基盤（１）の中央に支承管（２）を立設している。（３）はスライド管で支承管（２）に上下調節自在に挿入している。
（５）はＬ字状のアームで、該アーム（５）をスライド管（３）の上部に、アーム（５）を上向きにして十字状に取り付け、該アーム（５）には円形のつかみ（４）をアーム（５）上部と中間部に取り付けている。（８）はスライド管（３）に被せた蓋を示す。
（６）はボルト通し孔で、支承管（２）上部とスライド管（３）には、復数段開けている。而して、つかみ（４）を適正高さにする時に、支承管（２）とスライド管（３）のボルト通し孔（６）にボルト（７）を通し、スライド管（３）を支承管（２）に固定するようにしている。
なお、つかみ（４）に蛍光塗料を塗付すれば、暗がりでも、つかみ（４）の位置が確認でき使用上便利である。
【符号の説明】
【０００９】１  基盤        ４  つかみ        ７  ボルト
２  支承管      ５  アーム        ８  蓋
３  スライド管  ６  ボルト通し孔
【手続補正２】
【補正対象書類名】特許請求の範囲
【補正対象項目名】全文
【補正方法】変更
【補正の内容】
【特許請求の範囲】
【請求項１】
大径の基盤（１）中央に、支承管（２）を立設し、該支承管（２）にはスライド管（３）を上下調整自在に挿入し、また、Ｌ字状のアーム（５）を４本形成し、該アーム（５）をスライド管（３）の上部に、アーム（５）を上向きにして十字方向に取り付け、該アーム（５）には円形のつかみ（４）をアーム（５）上部と中間部に取り付け、また、支承管（２）の上部には水平方向にボルト通し孔（６）を開け、スライド管（３）にはボルト通し孔（６）を複数段開け、つかみ（４）を適宜高さにする時、スライド管（３）を上下に調整し、而して、支承管（２）とスライド管（３）のボルト通し孔（６）にボルト（７）を通し、スライド管（３）を支承管（２）に固定するようにしたことを特徴とする円形のつかみ付き介護用立上り器。